(57)【要約】      （修正有）【課題】マットレスのヘタリが発生する前にマットレスの寿命が来たことを使用者、介助者および管理者のいずれか一人へ伝え、使用者、介助者および管理者のいずれか一人にマットレスの交換を促す、マットレス交換時期通知装置を提供する。【解決手段】マットレス５と、マットレス５の下に設置されマットレス５に掛かる荷重を検出する荷重センサー１１と、荷重センサー１１により読み込まれた荷重が所定値以上になっている時間を積算する積算部と、積算部の値が第１の設定値以上になった時にマットレス５の交換時期が来たことを通知するＬＥＤ１３とを備える、マットレス交換時期通知装置１。【選択図】図１
2014076256.tif 000002
【特許請求の範囲】
【請求項１】
マットレスと、
前記マットレスの下に設置され前記マットレスに掛かる荷重を検出する荷重センサーと、
前記荷重センサーにより読み込まれた荷重が所定値以上になっている時間を積算する積算部と、
前記積算部の値が第１の設定値以上になった時に前記マットレスの交換時期が来たことを通知する第１通知部と、
を備える、マットレス交換時期通知装置。
【請求項２】
前記積算部は、前記荷重センサーによって検出された荷重が所定値以上になっていることを判定する判定部を有し、
前記積算部は、検出された荷重が前記判定部により所定値以上になったと判定されている時間を積算する、
請求項１に記載のマットレス交換時期通知装置。
【請求項３】
前記マットレスは、在床面上で等分の分割面に分割され、それぞれの分割面に掛かる荷重をそれぞれ検出する前記荷重センサーをそれぞれの分割面に有し、
前記積算部は、それぞれの前記荷重センサーによって検出されたそれぞれの荷重が所定値以上になったと判定されている時間をそれぞれ積算し、
前記判定部は、それぞれの前記積算部のうちひとつ以上の値が第２の設定値以上になった時に前記マットレスのローテーション時期が来たことを通知する第２通知部と、
を有する、請求項２に記載のマットレス交換時期通知装置。
【請求項４】
前記判定部は、使用者の重心荷重が前記分割面のいずれに掛かっているのかを判定し、重心荷重の掛かっている時間が最も長い分割面に対応する前記積算部の値が第２の設定値以上になった時に前記マットレスのローテーション時期が来たことを前記第２通知部から通知する、
請求項２または３に記載のマットレス交換時期通知装置。
【請求項５】
前記判定部は、前記積算部の値が第１の設定値より小さい第２の設定値以上になった時に前記マットレスのローテーション時期が来たことを通知する第２通知部を有する、
請求項２乃至４のいずれか１項に記載のマットレス交換時期通知装置。
【請求項６】
前記マットレスは、在床面上で等分の分割面に分割され、それぞれの分割面に掛かる荷重をそれぞれ検出する前記荷重センサーをそれぞれの分割面に有し、
前記積算部は、それぞれの前記荷重センサーによって検出されたそれぞれの荷重が所定値以上になったと判定されている時間をそれぞれ積算し、
前記判定部は、それぞれの前記積算部のうちひとつ以上の値が第３の設定値以上になった時に前記マットレスの交換時期が来たことを通知する第３通知部と、
を有する、請求項１乃至５のいずれか１項に記載のマットレス交換時期通知装置。
【請求項７】
前記判定部は、使用者の重心荷重が前記分割面のいずれに掛かっているのかを判定し、重心荷重の掛かっている時間が最も長い分割面に対応する前記積算部の値が第３の設定値以上になった時に前記マットレスの交換時期が来たことを前記第３通知部から通知する、
請求項２乃至６のいずれか１項に記載のマットレス交換時期通知装置。
【請求項８】
前記マットレスは、脚を有するベッド上に設置され、
前記荷重センサーは、前記ベッドの脚に設置される、
請求項１乃至７のいずれか１項に記載のマットレス交換時期通知装置。
【請求項９】
前記第１通知部、前記第２通知部、前記第３通知部のいずれかひとつは、家族、親類、ナースステーション、介護施設の職員詰め所、ホームドクター、およびベッドメーカー、のいずれか一ヶ所以上へ前記マットレスの交換時期あるいはローテーション時期が来たことを通知する有線通信装置および無線通信装置のいずれか一つを有する、
請求項１乃至８のいずれか１項に記載のマットレス交換時期通知装置。
【請求項１０】
マットレスへ掛かっている荷重を読み込む第１の荷重検出ステップと、
前記マットレスへ掛かっている荷重が所定値以上であるか否かを判定する荷重判定ステップと、
前記マットレスへ掛かっている荷重が所定値以上である時間を積算する第１の時間積算ステップと、
積算した時間が第１の設定時間以上であるか否かを判定する第１の時間判定ステップと、
積算した時間が第１の設定時間以上になった時に前記マットレスの交換時期が来たことを通知する第１の交換時期通知ステップと、
を有する、マットレス交換時期通知方法。
【請求項１１】
使用中のマットレスの使用時間内にローテーションが有ったか否かを判定して記憶するローテーション判定ステップ、
を有する、請求項１０に記載のマットレス交換時期通知方法。
【請求項１２】
在床面上で等分の分割面に分割されたマットレスのそれぞれの分割面の下に１個づつ設置され前記分割面にそれぞれ掛かる荷重をそれぞれ検出する第２の荷重検出ステップと、
それぞれの前記荷重センサーによって検出された荷重が所定値以上になったと判定されている時間をそれぞれ積算する第２の時間積算ステップと、
それぞれ積算した時間が第２の設定時間以上であるか否かを判定する第２の時間判定ステップと、
それぞれの前記積算部の値が第２の設定値以上になった時に前記マットレスのローテーション時期が来たことを通知する第２のローテーション時期通知ステップと、
を有する、請求項１０または１１に記載のマットレス交換時期通知方法。
【請求項１３】
在床面上で等分の分割面に分割されたマットレスのそれぞれの分割面の下に１個づつ設置され前記分割面にそれぞれ掛かる荷重をそれぞれ検出する第３の荷重検出ステップと、
それぞれの前記荷重センサーによって検出された荷重が所定値以上になったと判定されている時間をそれぞれ積算する第３の時間積算ステップと、
それぞれ積算した時間が第３の設定時間以上であるか否かを判定する第３の時間判定ステップと、
それぞれの前記積算部の値が第３の設定値以上になった時に前記マットレスの交換時期が来たことを通知する第３の交換時期通知ステップと、
を有する、請求項１０乃至１２のいずれか１項に記載のマットレス交換時期通知方法。
【発明の詳細な説明】
【技術分野】
【０００１】
本発明は、マットレス交換時期通知装置に関する。
【背景技術】
【０００２】
この種の従来技術として、特許文献１に示されるベッド用マットレスが知られている。それは、ベッド用マットレスの骨格構成中の一つであるスプリング組立体の上部及び下部に透過性補強材を敷き、この透過性補強材に発泡体を配置した後発泡させることで、発泡体が透過性補強材の微細ホール及び発泡拡張ホールのうち少なくとも一方を通して拡張されながらスプリング組立体と発泡体が一体となるように製作した透過性補強材と発泡体を利用して、ベッド用マットレスの寿命を延長させるものである。
【先行技術文献】
【特許文献】
【０００３】
【特許文献１】特許第４３４８４４０号公報
【発明の概要】
【発明が解決しようとする課題】
【０００４】
しかしながら、特許文献１のベッド用マットレスは、スプリング組立体と透過性補強材と発泡体とを一体とするように製作してベッド用マットレスの寿命を延長させたものであり、マットレスの交換時期を通知する機能を有してはいない。従って、使用者がマットレスのヘタリに気付かずにマットレスを使い続けることで使用者の体に歪が発生し、使用者が休息の為にマットレス上で就寝しても使用者の体に痛みが発生したり使用者の疲労が取れないというおそれがある。
【０００５】
本発明は上記問題点に鑑みて成されたものであり、マットレスの寿命を使用者に通知して使用者が休息の為にマットレス上で就寝しても使用者の体に痛みが発生したり使用者の疲労が取れないというおそれを低減可能なマットレス交換時期通知装置を提供することを目的とする。
【課題を解決するための手段】
【０００６】
本発明の第１の課題解決手段は、マットレスと、前記マットレスの下に設置され前記マットレスに掛かる荷重を検出する荷重センサーと、前記荷重センサーにより読み込まれた荷重が所定値以上になっている時間を積算する積算部と、前記積算部の値が第１の設定値以上になった時に前記マットレスの交換時期が来たことを通知する第１通知部と、を備える、構成である。
【０００７】
本発明の第２の課題解決手段は、前記積算部は、前記荷重センサーによって検出された荷重が所定値以上になっていることを判定する判定部を有し、前記積算部は、検出された荷重が前記判定部により所定値以上になったと判定されている時間を積算する、構成である。
【０００８】
本発明の第３の課題解決手段は、前記マットレスは、在床面上で等分の分割面に分割され、それぞれの分割面に掛かる荷重をそれぞれ検出する前記荷重センサーをそれぞれの分割面に有し、前記積算部は、それぞれの前記荷重センサーによって検出されたそれぞれの荷重が所定値以上になったと判定されている時間をそれぞれ積算し、前記判定部は、それぞれの前記積算部のうちひとつ以上の値が第２の設定値以上になった時に前記マットレスのローテーション時期が来たことを通知する第２通知部と、を有する、構成である。
【０００９】
本発明の第４の課題解決手段は、前記判定部は、使用者の重心荷重が前記分割面のいずれに掛かっているのかを判定し、重心荷重の掛かっている時間が最も長い分割面に対応する前記積算部の値が第２の設定値以上になった時に前記マットレスのローテーション時期が来たことを前記第２通知部から通知する、構成である。
【００１０】
本発明の第５の課題解決手段は、前記判定部は、前記積算部の値が第１の設定値より小さい第２の設定値以上になった時に前記マットレスのローテーション時期が来たことを通知する第２通知部を有する、構成である。
【００１１】
本発明の第６の課題解決手段は、前記マットレスは、在床面上で等分の分割面に分割され、それぞれの分割面に掛かる荷重をそれぞれ検出する前記荷重センサーをそれぞれの分割面に有し、前記積算部は、それぞれの前記荷重センサーによって検出されたそれぞれの荷重が所定値以上になったと判定されている時間をそれぞれ積算し、前記判定部は、それぞれの前記積算部のうちひとつ以上の値が第３の設定値以上になった時に前記マットレスの交換時期が来たことを通知する第３通知部と、を有する、構成である。
【００１２】
本発明の第７の課題解決手段は、前記判定部は、使用者の重心荷重が前記分割面のいずれに掛かっているのかを判定し、重心荷重の掛かっている時間が最も長い分割面に対応する前記積算部の値が第３の設定値以上になった時に前記マットレスの交換時期が来たことを前記第３通知部から通知する、構成である。
【００１３】
本発明の第８の課題解決手段は、前記マットレスは、脚を有するベッド上に設置され、前記荷重センサーは、前記ベッドの脚に設置される、構成である。
【００１４】
本発明の第９の課題解決手段は、前記第１通知部、前記第２通知部、前記第３通知部のいずれかひとつは、家族、親類、ナースステーション、介護施設の職員詰め所、ホームドクター、およびベッドメーカー、のいずれか一ヶ所以上へ前記マットレスの交換時期あるいはローテーション時期が来たことを通知する有線通信装置および無線通信装置のいずれか一つを有する、構成である。
【００１５】
本発明の第１０の課題解決手段は、マットレスへ掛かっている荷重を読み込む第１の荷重検出ステップと、前記マットレスへ掛かっている荷重が所定値以上であるか否かを判定する荷重判定ステップと、前記マットレスへ掛かっている荷重が所定値以上である時間を積算する第１の時間積算ステップと、積算した時間が第１の設定時間以上であるか否かを判定する第１の時間判定ステップと、積算した時間が第１の設定時間以上になった時に前記マットレスの交換時期が来たことを通知する第１の交換時期通知ステップと、を有する、交換時期通知方法である。
【００１６】
本発明の第１１の課題解決手段は、ローテーション有無を判定するローテーション判定ステップ、を有する、交換時期通知方法である。
【００１７】
本発明の第１２の課題解決手段は、在床面上で等分の分割面に分割されたマットレスのそれぞれの分割面の下に１個づつ設置され前記分割面にそれぞれ掛かる荷重をそれぞれ検出する第２の荷重検出ステップと、それぞれの前記荷重センサーによって検出された荷重が所定値以上になったと判定されている時間をそれぞれ積算する第２の時間積算ステップと、それぞれ積算した時間が第２の設定時間以上であるか否かを判定する第２の時間判定ステップと、それぞれの前記積算部の値が第２の設定値以上になった時に前記マットレスのローテーション時期が来たことを通知する第２のローテーション時期通知ステップと、を有する、交換時期通知方法である。
【００１８】
本発明の第１３の課題解決手段は、在床面上で等分の分割面に分割されたマットレスのそれぞれの分割面の下に１個づつ設置され前記分割面にそれぞれ掛かる荷重をそれぞれ検出する第３の荷重検出ステップと、それぞれの前記荷重センサーによって検出された荷重が所定値以上になったと判定されている時間をそれぞれ積算する第３の時間積算ステップと、それぞれ積算した時間が第３の設定時間以上であるか否かを判定する第３の時間判定ステップと、それぞれの前記積算部の値が第３の設定値以上になった時に前記マットレスの交換時期が来たことを通知する第３の交換時期通知ステップと、を有する、交換時期通知方法である。
【発明の効果】
【００１９】
本発明の第１の課題解決手段では、マットレス交換時期通知装置は、マットレスに掛かる荷重を検出する荷重センサーと、検出された荷重が所定値以上になっている時間を積算する積算部と、積算部の値が第１の設定値以上になった時にマットレスの交換時期が来たことを通知する通知部と、を備えている。これにより、マットレスのヘタリが発生する前にマットレスの設定時間が来たことを使用者へ伝え、使用者にマットレスの交換を促すことが出来る。従って、使用者がマットレスのヘタリに気付かずにマットレスを使い続けることで、使用者が休息の為にマットレス上で就寝しても使用者の体に歪が発生して使用者の体に痛みが出たり使用者の疲労が取れないというおそれを低減することが出来る。
【００２０】
本発明の第２の課題解決手段では、マットレス交換時期通知装置は、積算部が荷重センサーによって検出された荷重が所定値以上になっていることを判定する判定部を有し、積算部は判定部により検出荷重が所定値以上になったと判定されている時間を積算する。これにより、積算部は荷重センサーの読み込んだ荷重が所定値以上になっている時間をより正確に積算することが可能になる。
【００２１】
本発明の第３の課題解決手段では、マットレス交換時期通知装置は、マットレスが在床面上で等分の分割面に分割され、それぞれの分割面に掛かる荷重をそれぞれ検出する荷重センサーをそれぞれの分割面に有し、積算部は、それぞれの荷重センサーによって検出されたそれぞれの荷重が所定値以上になったと判定されている時間をそれぞれ積算し、判定部は、それぞれの積算部のうちひとつ以上の値が第２の設定値以上になった時にマットレスのローテーション時期が来たことを通知する第２通知部と、を有している。これにより、マットレスの偏ったヘタリが発生する前にマットレスのローテーション時期が来たことを使用者、介助者および管理者のいずれか一人へ伝え、使用者、介助者および管理者のいずれか一人にマットレスのローテーションを促すことが出来る。
【００２２】
本発明の第４の課題解決手段では、マットレス交換時期通知装置は、判定部が使用者の重心荷重が分割面のいずれに掛かっているのかを判定し、重心荷重の掛かっている時間が最も長い分割面に対応する積算部の値が第２の設定値以上になった時にマットレスのローテーション時期が来たことを前記第２通知部から通知する通知部、を有している。これにより、マットレスの偏ったヘタリが発生する前にマットレスのローテーション時期が来たことを使用者、介助者および管理者のいずれか一人へ伝え、使用者、介助者および管理者のいずれか一人にマットレスのローテーションを促すことが出来る。
【００２３】
本発明の第５の課題解決手段では、マットレス交換時期通知装置は、前記判定部は、前記積算部の値が第１の設定値より小さい第２の設定値以上になった時に前記マットレスのローテーション時期が来たことを通知する第２通知部を有している。これにより、マットレスへの偏ったヘタリ発生を低減し、使用者の体に歪が発生したり使用者の体に痛みが出たり使用者の疲労が取れないというおそれを低減することが出来る。
【００２４】
本発明の第６の課題解決手段では、マットレス交換時期通知装置は、マットレスが在床面上で等分の分割面に分割され、それぞれの分割面に掛かる荷重をそれぞれ検出する荷重センサーをそれぞれの分割面に有し、積算部は、それぞれの荷重センサーによって検出されたそれぞれの荷重が所定値以上になったと判定されている時間をそれぞれ積算し、判定部は、それぞれの積算部のうちひとつ以上の値が第３の設定値以上になった時にマットレスの交換時期が来たことを通知する第３通知部を有している。これにより、マットレスの偏ったヘタリが発生する前にマットレスの交換時期が来たことを使用者、介助者および管理者のいずれか一人へ伝え、使用者、介助者および管理者のいずれか一人にマットレスの交換を促すことが出来る。
【００２５】
本発明の第７の課題解決手段では、マットレス交換時期通知装置は、判定部が使用者の重心荷重が分割面のいずれに掛かっているのかを判定し、重心荷重の掛かっている時間が最も長い分割面に対応する積算部の値が第３の設定値以上になった時にマットレスの交換時期が来たことを第３通知部から通知する通知部を有している。これにより、マットレスの偏ったヘタリが発生する前にマットレスの交換時期が来たことを使用者、介助者および管理者のいずれか一人へ伝え、使用者、介助者および管理者のいずれか一人にマットレスの交換を促すことが出来る。
【００２６】
本発明の第８の課題解決手段では、マットレス交換時期通知装置は、マットレスが脚を有するベッド上に設置され、荷重センサーがベッドの脚に設置される、構成である。これにより、ベッドでの使用が可能になる。更に、マットレスの撓みによる影響を受け難くなる為、マットレスに掛かる荷重の測定精度を向上させることが可能になる。
【００２７】
本発明の第９の課題解決手段では、マットレス交換時期通知装置は、前記第１通知部、前記第２通知部、前記第３通知部のいずれかひとつは、家族、親類、ナースステーション、介護施設の職員詰め所、ホームドクター、およびベッドメーカー、のいずれか一ヶ所以上へ前記マットレスの交換時期あるいはローテーション時期が来たことを通知する有線通信装置および無線通信装置のいずれか一つを有する、構成である。これにより、マットレスの使用者が要介護者であってマットレスの交換時期が来たことを通知されていることに気付き難くてもマットレスの交換が可能になる。即ち、家族、親類、ナースステーション、介護施設の職員詰め所、ホームドクター、およびベッドメーカー、のいずれか一ヶ所以上に居る介助者およびまたは管理者がマットレスの交換時期が来たことを通知されていることに気付き易くなりマットレスの交換を行ない易くすることが出来る。
【００２８】
本発明の第１０の課題解決手段では、マットレス交換時期通知装置は、マットレスへ掛かっている荷重を検出する第１の荷重読み込みステップと、マットレスへ掛かっている荷重が所定値以上であるか否かを判定する荷重判定ステップと、マットレスへ掛かっている荷重が所定値以上である時間を積算する時間積算ステップと、積算した時間が第１の設定時間以上であるか否かを判定する第１の時間判定ステップと、積算した時間が第１の設定時間以上になった時にマットレスの交換時期が来たことを通知する第１の交換時期通知ステップと、を有する、ものである。これにより、使用者がマットレスのヘタリに気付かずに使い続けることで使用者の体に歪が発生し、使用者の体に痛みが出たり使用者の疲労が取れないというおそれを低減することが出来る。
【００２９】
本発明の第１１の課題解決手段では、マットレス交換時期通知装置は、ローテーション有無を判定するローテーション判定ステップを有している。これにより、マットレスへの偏ったヘタリ発生を低減し、使用者の体に歪が発生したり使用者の体に痛みが出たり使用者の疲労が取れないというおそれを低減することが出来る。
【００３０】
本発明の第１２の課題解決手段では、マットレス交換時期通知装置は、在床面上で等分の分割面に分割されたマットレスのそれぞれの分割面の下に１個づつ設置され分割面にそれぞれ掛かる荷重をそれぞれ検出する第２の荷重検出ステップと、それぞれの荷重センサーによって検出された荷重が所定値以上になったと判定されている時間をそれぞれ積算する第２の時間積算ステップと、それぞれ積算した時間が第２の設定時間以上であるか否かを判定する第２の時間判定ステップと、それぞれの積算部の値が第２の設定値以上になった時にマットレスのローテーション時期が来たことを通知する第２のローテーション時期通知ステップと、を有している。これにより、マットレスの全体的なヘタリ発生を低減し、使用者の体に歪が発生したり使用者の体に痛みが出たり使用者の疲労が取れないというおそれを低減することが出来る。
【００３１】
本発明の第１３の課題解決手段では、マットレス交換時期通知装置は、在床面上で等分の分割面に分割されたマットレスのそれぞれの分割面の下に１個づつ設置され分割面にそれぞれ掛かる荷重をそれぞれ検出する第３の荷重検出ステップと、それぞれの荷重センサーによって検出された荷重が所定値以上になったと判定されている時間をそれぞれ積算する第３の時間積算ステップと、それぞれ積算した時間が第３の設定時間以上であるか否かを判定する第３の時間判定ステップと、それぞれの積算部の値が第３の設定値以上になった時にマットレスの交換時期が来たことを通知する第３の交換時期通知ステップと、を有している。これにより、マットレスの全体的なヘタリ発生を低減し、使用者の体に歪が発生したり使用者の体に痛みが出たり使用者の疲労が取れないというおそれを低減することが出来る。
【図面の簡単な説明】
【００３２】
【図１】本実施形態に於ける、マットレス交換時期通知装置の側面図
【図２】本実施形態に於ける、マットレス交換時期通知装置の上面図
【図３】本実施形態に於ける、マットレス交換時期通知装置の実施例１の動作フローチャート
【図４】本実施形態に於ける、マットレス交換時期通知装置の実施例１から３の動作フローチャート
【図５】本実施形態に於ける、マットレス交換時期通知装置の実施例２の詳細動作フローチャート
【図６】本実施形態に於ける、マットレス交換時期通知装置の実施例３の詳細動作フローチャート
【発明を実施するための形態】
【００３３】
以下に本発明の実施形態を図面に基づいて詳細に説明する。
【００３４】
（第１実施形態）
以下に第１実施形態を詳細に説明する。
【００３５】
図１は、本実施形態に於ける、マットレス交換時期通知装置１の側面図である。建物の床面２には、ベッド３が設置されている。ベッド３は、フレーム３ａと、フレーム３ａの下に４本の脚４と、フレーム３ａの上にマットレス５と、フレーム３ａの側面にヘッドボード６と、を有している。脚４の１本と床面２の間には、１個の荷重センサー１１が設置されている。ヘッドボード６の中には、マットレス５へ所定値以上の荷重が掛かっているか否かを判定する制御基板１４が設置されている。制御基板１４には、マットレス５へ所定値以上の荷重が掛かっている時間を計測して積算記憶する積算部１２が内蔵されている。積算部１２には、荷重センサー１１によって検出された荷重が所定値以上になっていることを判定し積算部１２へ時間を積算する信号を出力する判定部１２ａが内蔵されている。ヘッドボード６の足側の面には、積算部１２の値が第１の設定値以上になった時に点灯する１個のＬＥＤ１３（第１通知部）が設置されている。マットレス５の使用有無を判定する荷重の所定値は、マットレス５の重量４ｋｇに３２ｋｇ（平成２１年度体力・運動能力調査結果の「６５歳女性体重平均値―３σ」）を足した値（３６ｋｇ）をベッド３の脚４の数４で割った値を丸めた９ｋｇに制御基板１４の中で初期設定されている。積算部１２の第１の設定値は、３万時間（約１０年間の使用に相当し実時にマットレス５にヘタリが発生するまでの時間に安全率を持った設定時間）に判定部１２ａの中で初期設定されている。荷重の所定値は、マットレス５の重量または使用者の体重、即ち荷重センサー１１へ掛かる荷重によって適宜変更される。積算部１２の第１の設定値は、使用者の体重、即ち荷重センサー１１へ掛かる荷重によって適宜変更される。
【００３６】
なお、荷重センサー１１は、歪計と云った他のセンサーで代用することも可能である。第１通知部は、ＬＥＤ１３の代わりに家族、親類、ナースステーション、介護施設の職員詰め所、ホームドクター、およびベッドメーカー、のいずれか一ヶ所以上に居る介助者および管理者のいずれか一人以上へマットレスの寿命（設定時間）が来たことを通知する有線通信装置１３ａおよび無線通信装置１３ｂで代替することも可能である。ＬＥＤ１３は、制御基板１４に内蔵することも可能である。荷重センサー１１の所定値は、制御基板１４、有線通信装置１３ａおよび無線通信装置１３ｂのいずれか一つ以上を操作して使用者の体重およびまたはマットレス５の重量に応じて変更することが可能である。荷重の所定値および積算部１２の第１の設定値は、マットレス５を交換した時に制御基板１４、有線通信装置１３ａおよび無線通信装置１３ｂのいずれか一つ以上を操作して０にリセットすることが可能である。３万時間と云う交換時期の第１の設定値は、使用者の体重およびまたはマットレス５の強度に応じて制御基板１４、有線通信装置および無線通信装置のいずれか一つ以上を操作して変更することが可能である。
【００３７】
以下に、本実施形態のマットレス交換時期通知装置１の動作について、説明する。
【００３８】
図３は、本実施形態に於ける、マットレス交換時期通知装置１の動作フローチャートであり、以下のスタートステップＳ０から交換時期通知ステップＳ５までを有している。
【００３９】
（スタートステップＳ０）
使用者、介助者および管理者のいずれか一人は制御基板１４へ電源を接続して積算部１２の数字を０へリセットし、マットレス５へ掛かっている荷重の読み込みを開始出来る状態にする。
【００４０】
（第１の荷重読み込みステップＳ１）
荷重センサー１１がマットレス５へ掛かっている荷重を読み込む。
【００４１】
（荷重判定ステップＳ２（判定部））
制御基板１４はマットレス５へ掛かっている荷重が９ｋｇ（所定値）以上であるか否かを判定して９ｋｇ以上の時には積算部１２で使用時間を積算する時間積算ステップへ移行させ９ｋｇ未満の時には制御を第１の荷重読み込みステップへ戻す。
【００４２】
（時間積算ステップＳ３（積算部））
積算部１２がマットレス５へ掛かっている荷重が９ｋｇ以上である使用時間を積算する。
【００４３】
（第１の時間判定ステップＳ４（第１通知部））
制御基板１４は積算部１２で積算した使用時間が３万時間（マットレスの寿命）以上であるか否かを判定して３万時間以上の時には交換時期が来たことをＬＥＤ１３を点灯させて通知する交換時期通知ステップへ移行させ設定時間未満の時には制御を第１の荷重読み込みステップへ戻す。
【００４４】
（交換時期通知ステップＳ５（第１通知部））
制御基板１４は積算部１２で積算した使用時間が３万時間以上に達した時にＬＥＤ１３を点灯させてマットレス５の交換時期が来たことを使用者へ通知する。更に、制御基板１４に内蔵された有線通信装置１３ａおよび無線通信装置１３ｂは、家族、親類、ナースステーション、介護施設の職員詰め所、ホームドクター、およびベッドメーカー、のいずれか一ヶ所以上へマットレス５の交換時期が来たことを通知する。
【００４５】
即ち、スタートステップＳ０から交換時期通知ステップＳ５までの制御によって、以下の動作が行なわれる。まず、使用者、介助者および管理者のいずれか一人がマットレス５を新しいものに交換して制御基板１４へ一般家庭用交流電源を接続し制御基板１４のリセットスイッチを押して積算部１２を０にリセットする。制御基板１４は、使用者がマットレス５に乗るか体重に相当する物を置いてマットレス５に掛かった荷重が９ｋｇ以上になったことを荷重センサー１１からの情報で検知した時に、積算部１２を使ってマットレス５が使用されている時間を計測および積算する。使用者がマットレス５から降りるか体重に相当する物を取り除いてマットレス５に掛かった荷重が９ｋｇ未満になると、積算部１２を停止してマットレス５が使用されている時間の計測および積算を止める。積算部１２の積算時間が３万時間以上になるとＬＥＤ１３が点灯する。ＬＥＤ１３が点灯したところで、使用者、介助者および管理者のいずれか一人は新しいマットレス５を購入して今まで使用していたマットレス５と交換する。同時に、使用者、介助者および管理者のいずれか一人が積算部１２の数字を０にリセットする。介助者および管理者のいずれか一人が積算部１２の数字を０にリセットすると、ＬＥＤ１３は消灯する。使用者が要介護者と云う様に使用者がマットレス５を交換し難い理由が明確な場合は、家族、親類、ナースステーション、介護施設の職員詰め所、ホームドクター、およびベッドメーカー、のいずれか一ヶ所以上に居る介助者が新しいマットレス５を購入して今まで使用していたマットレス５と交換する。同時に、介助者およびまたは管理者が積算部１２の数字を０にリセットする。介助者およびまたは管理者が積算部１２の数字を０にリセットすると、ＬＥＤ１３は消灯する。使用者、介助者および管理者のいずれか一人はマットレス５の交換毎およびまたは初回購入時にこれらの操作を行なう。
【００４６】
なお、ここでは制御基板１４へ一般家庭用交流電源を投入しているが、乾電池等で代用して制御基盤１４から積算部１２の不揮発メモリーを削除することも可能である。
【００４７】
以下に、本実施形態のマットレス交換時期通知装置１の効果について、説明する。
【００４８】
（１）マットレス交換時期通知装置１は、マットレス５に掛かる荷重を検出する荷重センサー１１と、読み込まれた荷重が９ｋｇ以上になっている時間を積算する積算部１２と、積算部１２の値が３万時間（第１の設定値）以上になった時にマットレス５の交換時期が来たことを通知するＬＥＤ１３と、を備えている。これにより、マットレス５のヘタリが発生する前にマットレス５の寿命が来たことを使用者、介助者および管理者のいずれか一人へ伝え、使用者、介助者および管理者のいずれか一人にマットレス５の交換を促すことが出来る。従って、使用者がマットレス５のヘタリに気付かずにマットレス５を使い続けることで、使用者が休息の為にマットレス５上で就寝しても使用者の体に歪が発生して使用者の体に痛みが出たり使用者の疲労が取れないというおそれを低減することが出来る。更に、マットレス５の強度を向上させてマットレス５の寿命を長くした場合でも、長くした寿命に合わせて上記の効果を得ることが出来る。
【００４９】
（２）マットレス交換時期通知装置１は、積算部１２は、荷重センサー１１によって読み込まれた荷重が９ｋｇ以上になっていることを判定する判定部１２ａを有し、積算部１２は、判定部１２ａにより検出荷重が９ｋｇ以上になったと判定されている時間を積算する。これにより、積算部１２は荷重センサー１１の読み込んだ荷重が９ｋｇ以上になっている時間をより正確に積算することが可能になる。（（３）から（７）と、（１２）から（１３）と、は後述する第２実施形態と、第３実施形態と、のそれぞれの効果に記載。）
（８）マットレス交換時期通知装置１は、マットレス５が脚４を有するベッド３上に設置され、荷重センサー１１がベッド３の脚４に設置される、構成である。これにより、ベッド３での使用が可能になる。更に、マットレス５の撓みによる影響を受け難くなる為、マットレス５に掛かる荷重の測定精度を向上させることが可能になる。
【００５０】
（９）マットレス交換時期通知装置１は、マットレス交換時期通知装置１がＬＥＤ１３（第１通知部、後述する第２実施例の第２通知部、第３実施例の第３通知部のいずれかひとつ）の代わりに家族、親類、ナースステーション、介護施設の職員詰め所、ホームドクター、およびベッドメーカー、のいずれか一ヶ所以上へマットレス５の交換時期が来たことを通知する有線通信装置１３ａおよび無線通信装置１３ｂのいずれか一つを有する、構成である。これにより、マットレス５の使用者が要介護者であってマットレス５の交換時期が来たことを通知されていることに気付き難くてもマットレス５の交換が可能になる。即ち、家族、親類、ナースステーション、介護施設の職員詰め所、ホームドクター、およびベッドメーカー、のいずれか一ヶ所以上に居る介助者およびまたは管理者のいずれか一人がマットレス５の交換時期が来たことを通知されていることに気付きマットレス５の交換を行ない易くすることが出来る。更に、ナースステーションまたはベッドメーカーと云った集中管理所のモニタで多数のマットレス５の使用時間を集中管理してマットレス５の管理および交換の効率を向上させることも可能になる。
【００５１】
（１０）マットレス交換時期通知装置１は、マットレス５へ掛かっている荷重を検出する第１の荷重読み込みステップと、マットレスへ掛かっている荷重が所定値以上であるか否かを判定する荷重判定ステップと、マットレスへ掛かっている荷重が所定値以上である時間を積算する時間積算ステップと、積算した時間が第１の設定時間以上であるか否かを判定する第１の時間判定ステップと、積算した時間が第１の設定時間以上になった時にマットレスの交換時期が来たことを通知する第１の交換時期通知ステップと、を有する、ものである。これにより、使用者がマットレスのヘタリに気付かずに使い続けることで使用者の体に歪が発生し、使用者の体に痛みが出たり使用者の疲労が取れないというおそれを低減することが出来る。
【００５２】
（１１）マットレス交換時期通知方法は、マットレス５へ掛かっている荷重を検出する荷重読み込みステップと、マットレス５へ掛かっている荷重が９ｋｇ以上であるか否かを判定する荷重判定ステップと、マットレス５へ掛かっている荷重が９ｋｇ以上である時間を積算する時間積算ステップと、積算した時間が設定時間以上であるか否かを判定する時間判定ステップと、積算した時間が設定時間以上になった時にマットレス５の交換時期が来たことを通知する第１の交換時期通知ステップと、を有する、ものである。これにより、使用者がマットレス５のヘタリに気付かずに使い続けることで使用者の体に歪が発生し、使用者の体に痛みが出たり使用者の疲労が取れないというおそれを低減することが出来る。更に、マットレス５の強度を向上させてマットレス５の寿命を長くした場合でも長くした寿命に合わせて上記の効果を得ることが出来る。
【００５３】
（第２実施形態）
以下に本発明の第２実施形態を詳細に説明する。
【００５４】
図２は、本実施形態に於ける、マットレス交換時期通知装置の上面図である。第２実施形態は、第１実施形態に対して、以下の２つの内容を追加し、以下の４つの内容を変更したものである為、追加箇所と変更箇所以外の説明は省略する。
【００５５】
追加箇所は、第１に判定部１２ａがマットレス５のローテーション有無を判定するローテーション判定部１２ａを有する構成を、追加したものである。第２に荷重センサー１１は、マットレス５の４隅の下に１個づつ設置されマットレス５の在床面を４等分した４つの分割面５ａにそれぞれ掛かる荷重をそれぞれ検出する構成を、追加したものである。
【００５６】
変更箇所は、第１に１本の脚４（マットレス５の下）と床面２との間に荷重センサー１１を１個設置した構成から、４本の脚４（マットレス５の４隅の下）と床面２との間に荷重センサー１１をそれぞれ１個づつ設置した構成へ、変更したものである。第２に荷重センサー１１により読み込まれた荷重が所定値以上になっている時間を積算する積算部１２から、４本の脚４と床面２との間に設置された荷重センサー１１によって検出されたそれぞれの荷重が所定値以上になったと判定されている時間をそれぞれ積算する積算部１２へ、変更したものである。第３に積算部１２の値が第１の設定値（マットレス５の寿命時間）以上になった時にマットレス５の交換時期が来たことを通知する第１通知部から、積算部１２の値が第２の設定値（マットレス５の寿命時間の１／２）以上になった時にマットレス５のローテーション時期が来たことを通知する第２通知部へ、変更したものである。即ち、ＬＥＤ１３を交換時期通知用の点灯使用からローテーション時期通知用の点滅使用へ、変更したものである。第４に荷重センサー１１によって検出された荷重が所定値以上になっていることを判定する判定部１２ａから、荷重センサー１１によって検出された荷重が所定値以上になっていることを判定する判定部１２ａへ、変更したものである。ここで、第２の設定値はマットレス５の寿命までに１回のローテーションを行なうものとしてマットレス５の寿命時間の１／２で、設定されている。
【００５７】
なお、マットレス５の分割面５ａは在床面を４等分した４つの分割面５ａ以外にも何等分に分割しても良く、荷重センサー１１は各分割面５ａの下にマットレス５と直接当接または内蔵する様に分割面５ａの数のｎ倍（ｎは１以上の整数）の数だけ設置することも可能である。荷重センサー１１は、４本の脚４（マットレス５の４隅の下）と床面２との間にそれぞれ２個以上設置することも可能である。マットレス５の特性や使用者の寝方の癖などによって、所定値を９ｋｇ以外の値に、第２の設定値を１．５万時間以外の値に、それぞれ変更可能である。ＬＥＤ１３は、点滅の代わりに照度アップまたは照度ダウンに変更したり、色調を変更させたり、２個以上のＬＥＤ１３に変更したり、これらの組合せに変更したり、して代用することも可能である。
【００５８】
以下に、本実施形態のマットレス交換時期通知装置１の動作について、説明する。
【００５９】
図４と図５とは、マットレス交換時期通知装置１の本実施形態に於いて第１実施形態へ変更または追加された動作フローチャートであり、以下のローテーション判定ステップＳ４０から第２のローテーション時期通知ステップＳ４１４までを有している。
【００６０】
（ローテーション判定ステップＳ４０）
マットレス５のローテーション有無を判定する。
【００６１】
（第２の荷重読み込みステップＳ４１１）
マットレス５の４隅の下に１個づつ設置されマットレス５の在床面を４等分した４つの分割面５ａにそれぞれ掛かる荷重をそれぞれ検出する。
【００６２】
（第２の時間積算ステップＳ４１２）
マットレス５の４隅の下に設置された荷重センサー１１によって検出された荷重が９ｋｇ（所定値）以上になったと判定されている時間をそれぞれ積算する。
【００６３】
（第２の時間判定ステップＳ４１３）
制御基板１４は積算部１２で積算した使用時間が１．５万時間（マットレス５の寿命の１／２）以上であるか否かを判定して１．５万時間以上の時にはローテーション時期が来たことをＬＥＤ１３を点滅させて通知するローテーション時期通知ステップへ移行させ設定時間未満の時には制御を第１の荷重読み込みステップへ戻す。
【００６４】
（第２のローテーション時期通知ステップＳ４１４）
制御基板１４は積算部１２で積算した使用時間が１．５万時間以上に達した時にＬＥＤ１３を点滅させてマットレス５の交換時期が来たことを使用者へ通知する。更に、制御基板１４に内蔵された有線通信装置１３ａおよび無線通信装置１３ｂは、家族、親類、ナースステーション、介護施設の職員詰め所、ホームドクター、およびベッドメーカー、のいずれか一ヶ所以上へマットレス５の交換時期が来たことを通知する。
【００６５】
即ち、ローテーション判定ステップＳ４０から第２のローテーション時期通知ステップＳ４１４までの制御によって、以下の動作が行なわれる。まず、判定部１２ａが使用中のマットレス５のローテーション有無を判定する。マットレス５がまだローテーションされていないものである場合は、４つの分割面５ａ毎の使用時間を積算していずれか一つの分割面５ａの使用時間がマットレス５の寿命時間の１／２以上になった時にＬＥＤ１３が点滅する。ＬＥＤ１３が点滅したところで、使用者、介助者および管理者のいずれか一人はマットレス５を在床面の中心を軸にして１８０°回転（ローテーション）させる。マットレス５がローテーション済みのものである場合は、後述する第３実施形態の第３の時間積算ステップＳ４２１へ移行する。
【００６６】
なお、マットレス５のヘタリ具合に応じて、マットレス５のローテーションは今までの在床面が下を向く様に上下反転させて対応することも可能である。
【００６７】
以下に、本実施形態のマットレス交換時期通知装置１の効果について、説明する。
【００６８】
（３）マットレス交換時期通知装置１は、マットレス５は、在床面上で等分の分割面５ａに分割され、それぞれの分割面５ａに掛かる荷重をそれぞれ検出する荷重センサー１１をそれぞれの分割面に有し、積算部１２は、それぞれの荷重センサー１１によって検出されたそれぞれの荷重が９ｋｇ以上になったと判定されている時間をそれぞれ積算し、判定部１２ａは、それぞれの積算部１２のうちひとつ以上の値が１．５万時間以上になった時にマットレス５のローテーション時期が来たことを通知する第２通知部と、を有している。これにより、これにより、マットレス５の偏ったヘタリが発生する前にマットレス５のローテーション時期が来たことを使用者、介助者および管理者のいずれか一人へ伝え、使用者、介助者および管理者のいずれか一人にマットレス５のローテーションを促すことが出来る。従って、使用者がマットレス５のヘタリに気付かずにマットレス５を使い続けることで、使用者が休息の為にマットレス５上で就寝しても使用者の体に歪が発生して使用者の体に痛みが出たり使用者の疲労が取れないというおそれを低減することが出来る。更に、マットレス５の強度を向上させてマットレス５の寿命を長くした場合でも、長くした寿命に合わせて上記の効果を得ることが出来る。
【００６９】
（４）マットレス交換時期通知装置１は、荷重センサー１１がマットレス５の４隅の下に１個づつ設置されマットレス５の在床面を４等分した４つの分割面５ａにそれぞれ掛かる荷重をそれぞれ検出し、積算部１２がマットレス５の４隅の下に設置された荷重センサー１１によって検出されたそれぞれの荷重が９ｋｇ以上になったと判定している時間をそれぞれ積算し、判定部１２ａが積算部１２の値を１．５万時間（マットレス５の寿命の１／２）以上になったと判断した時にマットレス５のローテーション時期が来たことを通知する第２通知部、を有している。これにより、マットレス５の偏ったヘタリが発生する前にマットレス５のローテーション時期が来たことを使用者、介助者および管理者のいずれか一人へ伝え、使用者、介助者および管理者のいずれか一人にマットレス５のローテーションを促すことが出来る。従って、使用者がマットレス５のヘタリに気付かずにマットレス５を使い続けることで、使用者が休息の為にマットレス５上で就寝しても使用者の体に歪が発生して使用者の体に痛みが出たり使用者の疲労が取れないというおそれを低減することが出来る。更に、マットレス５の強度を向上させてマットレス５の寿命を長くした場合でも、長くした寿命に合わせて上記の効果を得ることが出来る。
【００７０】
（５）マットレス交換時期通知装置１は、積算部１２の値が第１の設定値（３万時間）より小さい第２の設定値（１．５万時間）以上になった時にマットレス５のローテーション時期が来たことを通知する第２通知部、を有している。これにより、マットレス５への偏ったヘタリ発生を低減し、使用者の体に歪が発生したり使用者の体に痛みが出たり使用者の疲労が取れないというおそれを低減することが出来る。
【００７１】
（１１）マットレス交換時期通知方法は、ローテーション有無を判定するローテーション判定ステップを有する、ものである。これにより、マットレス５への偏ったヘタリ発生を低減し、使用者の体に歪が発生したり使用者の体に痛みが出たり使用者の疲労が取れないというおそれを低減することが出来る。
【００７２】
（１２）マットレス交換時期通知方法は、マットレス５の４隅の下に１個づつ設置されマットレス５の在床面を４等分した４つの分割面５ａにそれぞれ掛かる荷重をそれぞれ検出する第２の荷重読み込みステップと、マットレス５の４隅の下に設置された荷重センサー１１によって検出された荷重が９ｋｇ以上になったと判定されている時間をそれぞれ積算する第２の時間積算ステップと、積算部１２の値が１．５万時間以上になった時にマットレス５のローテーション時期が来たことを通知する第２のローテーション時期通知ステップと、を有している。これにより、マットレス５への偏ったヘタリ発生を低減し、使用者の体に歪が発生したり使用者の体に痛みが出たり使用者の疲労が取れないというおそれを低減することが出来る。
【００７３】
（第３実施形態）
以下に本発明の第３実施形態を詳細に説明する。
【００７４】
第３実施形態は、第２実施形態に対して、以下の１つの内容を変更したものである為、変更箇所以外の説明は省略する。
【００７５】
変更箇所は、積算部１２の値が第２の設定値（マットレス５の寿命の１／２である１．５万時間）以上になった時にマットレス５の交換時期が来たことを通知する第２通知部から、積算部１２の値が第３の設定値（マットレス５の寿命である３万時間）以上になった時にマットレス５の交換時期が来たことを通知する第３通知部へ、変更したものである。即ち、ＬＥＤ１３をローテーション時期通知用の点滅使用から交換時期通知用の点灯使用へ、変更したものである。
【００７６】
なお、マットレス５の分割面５ａは在床面を４等分した４つの分割面５ａ以外にも何等分に分割しても良く、荷重センサー１１は各分割面５ａの下にマットレス５と直接当接または内蔵する様に分割面５ａの数のｎ倍（ｎは１以上の整数）の数だけ設置することも可能である。荷重センサー１１は、４本の脚４（マットレス５の４隅の下）と床面２との間にそれぞれ２個以上設置することも可能である。マットレス５の特性や使用者の寝方の癖などによって、所定値を９ｋｇ以外の値に、第２の設定値を１．５万時間以外の値に、それぞれ変更可能である。ＬＥＤ１３は、点灯の代わりに照度アップまたは照度ダウンに変更したり、色調を変更させたり、２個以上のＬＥＤ１３に変更したり、これらの組合せに変更したり、して代用することも可能である。
【００７７】
以下に、本実施形態のマットレス交換時期通知装置１の動作について、説明する。
【００７８】
図４と図６は、マットレス交換時期通知装置１の本実施形態に於いて第２実施形態へ追加された動作フローチャートであり、以下の第３の時間積算ステップＳ４２１から第３の交換時期通知ステップＳ４２４までを有している。
【００７９】
（第３の荷重読み込みステップＳ４２１）
マットレス５の４隅の下に１個づつ設置されマットレス５の在床面を４等分した４つの分割面５ａにそれぞれ掛かる荷重をそれぞれ検出する。
【００８０】
（第３の時間積算ステップＳ４２２）
マットレス５の４隅の下に設置された荷重センサー１１によって検出された荷重が９ｋｇ（所定値）以上になったと判定されている時間をそれぞれ積算する。
【００８１】
（第３の時間判定ステップＳ４２３）
制御基板１４は積算部１２で積算した使用時間が３万時間（マットレス５の寿命）以上であるか否かを判定して３万時間以上の時には交換時期が来たことをＬＥＤ１３を点灯させて通知する交換時期通知ステップへ移行させ設定時間未満の時には制御を第１の荷重読み込みステップへ戻す。
【００８２】
（第３の交換時期通知ステップＳ４２４）
制御基板１４は積算部１２で積算した使用時間が１．５万時間以上に達した時にＬＥＤ１３を点灯させてマットレス５の交換時期が来たことを使用者へ通知する。更に、制御基板１４に内蔵された有線通信装置１３ａおよび無線通信装置１３ｂは、家族、親類、ナースステーション、介護施設の職員詰め所、ホームドクター、およびベッドメーカー、のいずれか一ヶ所以上へマットレス５の交換時期が来たことを通知する。
【００８３】
即ち、第３の荷重読み込みステップＳ４２１から第３の交換時期通知ステップＳ４２４までの制御によって、以下の動作が行なわれる。まず、判定部１２ａが使用中のマットレス５のローテーション有無を判定する。マットレス５がローテーション済みのものである場合は、４つの分割面５ａ毎の使用時間を積算していずれか一つの分割面５ａ面の使用時間が３万時間（マットレス５の寿命時間）以上になった時にＬＥＤ１３が点灯する。ＬＥＤ１３が点灯したところで、使用者、介助者および管理者のいずれか一人はマットレス５を在床面の中心を軸にして１８０°回転（ローテーション）させる。マットレス５がまだローテーションされていないものである場合は、第１の荷重読み込みステップＳ１へ移行する。
【００８４】
なお、マットレス５のヘタリ具合に応じて、マットレス５のローテーションは今までの在床面が下を向く様に上下反転させて対応することも可能である。
【００８５】
以下に、本実施形態のマットレス交換時期通知装置１の効果について、説明する。
【００８６】
（６）マットレス交換時期通知装置１は、荷重センサー１１がマットレス５の４隅の下に１個づつ設置されマットレス５の在床面を４等分した４つの分割面５ａにそれぞれ掛かる荷重をそれぞれ検出し、積算部１２がマットレス５の４隅の下に設置された荷重センサー１１によって検出されたそれぞれの荷重が９ｋｇ以上になったと判定している時間をそれぞれ積算し、判定部１２ａが積算部１２の値を３万時間（マットレス５の寿命）以上になったと判断した時にマットレス５の交換時期が来たことを通知するＬＥＤ１３、を有している。これにより、マットレス５の全体的なへタリが発生する前にマットレス５の交換時期が来たことを使用者、介助者および管理者のいずれか一人へ伝え、使用者、介助者および管理者のいずれか一人にマットレス５の交換を促すことが出来る。従って、使用者がマットレス５のヘタリに気付かずにマットレス５を使い続けることで、使用者が休息の為にマットレス５上で就寝しても使用者の体に歪が発生して使用者の体に痛みが出たり使用者の疲労が取れないというおそれを低減することが出来る。更に、マットレス５の強度を向上させてマットレス５の寿命を長くした場合でも、長くした寿命に合わせて上記の効果を得ることが出来る。
【００８７】
（７）マットレス交換時期通知装置１は、判定部１２ａが使用者の重心荷重が分割面５ａのいずれに掛かっているのかを判定し、重心荷重の掛かっている時間が最も長い分割面５ａに対応する積算部１２の値が第３の設定値以上になった時にマットレス５の交換時期が来たことをＬＥＤ１３から通知するＬＥＤ１３を有している。これにより、マットレス５の偏ったヘタリが発生する前にマットレス５の交換時期が来たことを使用者、介助者および管理者のいずれか一人へ伝え、使用者、介助者および管理者のいずれか一人にマットレス５の交換を促すことが出来る。
【００８８】
（１３）マットレス交換時期通知方法は、マットレス５の４隅の下に１個づつ設置されマットレス５の在床面を４等分した４つの分割面５ａにそれぞれ掛かる荷重をそれぞれ検出する第３の荷重読み込みステップと、マットレス５の４隅の下に設置された荷重センサー１１によって検出された荷重が９ｋｇ以上になったと判定されている時間をそれぞれ積算する第３の時間積算ステップと、積算部１２の値が３万時間以上になった時にマットレス５の交換時期が来たことを通知する第３の交換時期通知ステップと、を有している。これにより、マットレス５の全体的なヘタリ発生を低減し、使用者の体に歪が発生したり使用者の体に痛みが出たり使用者の疲労が取れないというおそれを低減することが出来る。
【００８９】
（付記項１）
積算部１２またはＬＥＤ１３は、その上下左右のいずれか一ヶ所以上にＬＥＤ１３が点灯した意味およびマットレス５の交換方法が記されている、マットレス交換時期通知装置１である。これにより、説明書が無くなってもマットレス５のヘタリ時期が来たことを使用者、介助者および管理者のいずれか一人が容易に知ることが可能になる。
【００９０】
（付記項２）
制御基板１４には、電池が内蔵されており、荷重センサー１１、ＬＥＤ１３と電気的に接続されている。荷重センサー１１は、マットレス５へ掛かる荷重によって撓むスプリングと、マットレス５へ掛かる荷重が９ｋｇ以上になった時に接点をつなぐスイッチと、を有している。これにより、制御基板１４を不要にすることが可能になる。なお、スプリングの初期荷重は、マットレス５の使用者の体重およびまたはマットレス５の重量に合わせて初期設定高さを変えることで、変更可能なものである。
【００９１】
（付記項３）
積算部１２は、スイッチの接点がつながれた時に時間を積算するものである。積算部１２を、カウンター付きのものに変更しカウンターの万の位の表示部の３以上の数字を赤色にして万の位の表示部の２以下の数字と壱から千の桁の数字を黒字にすることで、積算部１２とＬＥＤ１３の機能を積算部１２だけで代用することも可能である。即ち、積算部１２に赤い数字が出てきた時点で、マットレス５の交換時期であることを使用者、介助者および管理者のいずれか一人に促す構成である。これにより、ＬＥＤ１３を不要にすることが可能になる。
【００９２】
（付記項４）
マットレス５は床または畳の上に直置きされ、マットレス５の下面に荷重センサー１１を、マットレス５の上面およびまたは側面に積算部１２と、ＬＥＤ１３と、制御基板とを、設置されることも可能である。これにより、ベッド３を不要にすることが可能になる。
【符号の説明】
【００９３】
１  マットレス交換時期通知装置
２  床面
３  ベッド
３ａ  フレーム
４  脚
５  マットレス
５ａ  分割面
６  ヘッドボード
１１  荷重センサー
１２  積算部
１２ａ  判定部
１３  ＬＥＤ（第１通知部、第２通知部、第３通知部）
１３ａ  有線通信装置
１３ｂ  無線通信装置
１４  制御基板（制御部）
【図１】
2014076256.tif 000003
【図２】
2014076256.tif 000004
【図３】
2014076256.tif 000005
【図４】
2014076256.tif 000006
【図５】
2014076256.tif 000007
【図６】
2014076256.tif 000008